(57)【要約】例えば複数の瓶といったような複数の物品を保持するためのカートン、および、そのようなカートンを形成するためのブランクであって、カートンの側壁（１２，１６）の延長物として形成された圧潰可能なチューブ状コーナーポスト（７０ａ，７０ｂ，７０ｃ，７０ｄ）を具備している。コーナーポストは、カートンの外側に延出されたフラットな圧潰状態から、内向きに折り曲げることによって、自動的に立体化した状態へと移行可能とされている。好ましくは、コーナーポストが、剛直な構造として機能し得るよう、三角形横断面形状を有している。
2004509023.tif 000002
【特許請求の範囲】
【請求項１】
例えば複数の瓶といったような複数の物品を保持するためのカートンであって、
前記カートンの側壁の延長物として形成された圧潰可能なチューブ状コーナーポストを具備し、
このコーナーポストが、前記カートンの外側に延出されたフラットな圧潰状態から、内向きに折り曲げることによって、自動的に立体化した状態へと移行可能とされていることを特徴とするカートン。
【請求項２】
請求項１記載のカートンにおいて、
前記コーナーポストが、剛直な構造として機能し得るよう、三角形横断面形状を有し、
前記コーナーポストが、長さ方向に延在する折曲線を有しており、これにより、前記カートンの外側に延出されることのみによって折り畳まれたフラットな状態へと移行するものとされていることを特徴とするカートン。
【請求項３】
請求項２記載のカートンにおいて、
前記コーナーポストが、端部パネルと、ブレースパネルと、固定パネルと、を備え、
これら端部パネルとブレースパネルと固定パネルとが、この順に互いに折曲可能に接続され、
前記固定パネルが、前記カートンの前記側壁に対して固定されていることを特徴とするカートン。
【請求項４】
請求項３記載のカートンにおいて、
前記長さ方向に延在する折曲線が、前記端部パネル内に形成されていることを特徴とするカートン。
【請求項５】
請求項１または２記載のカートンにおいて、
前記端部パネルが、前記カートンを閉塞するために、前記カートンの端部フラップを固定し得るように構成されていることを特徴とするカートン。
【請求項６】
例えば複数の瓶といったような複数の物品を保持するためのカートンであって、
引裂線によって前記カートンの第１壁内に少なくとも部分的に規定された再閉塞可能な引裂開放フラップと、前記カートンの前記第１壁に対して折曲可能に接続された壁端部補強部材と、を具備し、
前記補強部材が、前記引裂線の少なくとも一部に沿って前記第１壁の下方に位置し得るよう、前記補強部材が、前記カートンの前記第１壁の内表面に対して少なくとも部分的に固定されていることを特徴とするカートン。
【請求項７】
請求項６記載のカートンにおいて、
前記補強部材が、前記引裂線を跨って配置され、これにより、前記引裂線の破壊時には、前記フラップを再閉塞状態に保持するための係合部材がもたらされていることを特徴とするカートン。
【請求項８】
例えば複数の瓶といったような複数の物品を保持するためのカートンであって、
引裂線によって前記カートンの第１壁内に規定された第１パネルを有した再閉塞可能な引裂開放フラップと、前記カートンの前記第１壁の内表面に対して少なくとも部分的に固定された係合パネルと、を具備し、
前記係合パネルが、前記引裂線を跨って配置され、これにより、前記引裂線の破壊時には、前記フラップを再閉塞状態に保持するための係合部材がもたらされていることを特徴とするカートン。
【請求項９】
請求項８記載のカートンにおいて、
前記係合パネルが、前記カートンの第１壁パネルに隣接した１つのパネルに対して折曲可能に接続された補強部材によって形成されていることを特徴とするカートン。
【請求項１０】
請求項９記載のカートンにおいて、
前記補強部材が、前記カートンの第２壁を有したコーナー部分のところにおいて、前記カートンの前記第１壁の下方に位置し、これにより、前記コーナー部分を補強し得るものとされていることを特徴とするカートン。
【請求項１１】
請求項８〜１０のいずれか１項に記載のカートンにおいて、
前記引裂開放フラップが、前記カートンの第３壁に対して折曲可能に接続された第２パネルを有していることを特徴とするカートン。
【請求項１２】
請求項６〜１１のいずれか１項に記載のカートンにおいて、
前記引裂開放フラップが、プルタブを有していることを特徴とするカートン。
【請求項１３】
請求項６〜１２のいずれか１項に記載のカートンにおいて、
前記カートンの前記第１壁には、この第１壁に対して折曲可能に接続された固定タブが設けられ、
前記引裂開放フラップの一部が、あるいは、前記プルタブが、前記カートンの前記第１壁と前記固定タブとの間に配置されるように構成され、前記固定タブと一緒に保持されるようになっていることを特徴とするカートン。
【請求項１４】
例えば複数の瓶といったような複数の物品を保持するためのカートンを形成するためのブランクであって、
前記カートンが、引裂線によって前記カートンの第１壁内に少なくとも部分的に規定された再閉塞可能な引裂開放フラップと、前記カートンの前記第１壁に対して折曲可能に接続された壁端部補強部材と、を具備し、
前記補強部材が、前記引裂線の少なくとも一部に沿って前記第１壁の下方に位置し得るよう、前記補強部材が、前記カートンの前記第１壁の内表面に対して少なくとも部分的に固定されていることを特徴とするブランク。
【請求項１５】
請求項１４記載のブランクにおいて、
前記カートンの組立状態においては、前記補強部材が、前記引裂線を跨って配置され、これにより、前記引裂線の破壊時には、前記フラップを再閉塞状態に保持するための係合部材がもたらされていることを特徴とするブランク。
【請求項１６】
請求項１４または１５記載のブランクにおいて、
前記引裂開放フラップが、プルタブを有していることを特徴とするブランク。
【請求項１７】
請求項１４または１５記載のブランクにおいて、
前記カートンの前記第１壁には、この第１壁に対して折曲可能に接続された固定タブが設けられていることを特徴とするブランク。
【請求項１８】
例えば複数の瓶といったような複数の物品を保持するためのカートンを形成するためのブランクであって、
前記カートンの側壁の延長物として形成された圧潰可能なチューブ状コーナーポストを具備し、
このコーナーポストが、端部パネルと、ブレースパネルと、固定パネルと、を備え、
これら端部パネルとブレースパネルと固定パネルとが、この順に互いに折曲可能に接続され、
前記固定パネルが、前記カートンの前記側壁に対して固定され得るように構成されていることを特徴とするブランク。
【請求項１９】
請求項１８記載のブランクにおいて、
前記コーナーポストが、長さ方向に延在する折曲線を有しており、これにより、前記カートンの外側に延出されることのみによって折り畳まれたフラットな状態へと移行するものとされていることを特徴とするブランク。
【請求項２０】
請求項１９記載のブランクにおいて、
前記長さ方向に延在する折曲線が、前記端部パネル内に形成されていることを特徴とするブランク。
【請求項２１】
例えば複数の瓶といったような複数の物品を保持するためのカートンを形成するためのブランクであって、
前記カートンが、引裂線によって前記カートンの第１壁内に規定された第１パネルを有した再閉塞可能な引裂開放フラップと、前記カートンの前記第１壁の内表面に対して少なくとも部分的に固定された補強部材と、を具備し、
前記カートンの組立状態においては、前記補強部材が、前記引裂線を跨って配置され、これにより、前記引裂線の破壊時には、前記フラップを再閉塞状態に保持するための係合部材がもたらされていることを特徴とするブランク。
【請求項２２】
請求項２１記載のブランクにおいて、
前記引裂開放フラップが、プルタブを有していることを特徴とするブランク。
【請求項２３】
請求項２１または２２記載のブランクにおいて、
前記カートンの前記第１壁には、この第１壁に対して折曲可能に接続された固定タブが設けられていることを特徴とするブランク。
【請求項２４】
パッケージであって、
複数の物品と、
請求項１〜１３のいずれか１項に記載されたカートンと、
を具備することを特徴とするパッケージ。
【発明の詳細な説明】
【０００１】
【発明の属する技術分野】
本発明は、例えば複数のフレキシブルなパウチパックや複数の瓶といったような複数の物品を携行するためのカートンおよびこのようなカートンを形成するためのブランクに関するものであり、また、カートンの剛性を改良するための１つ以上の梁構造を具備している。本発明によるカートンは、さらに、再閉塞され得るような引裂開放タイプのフラップを具備している。
【０００２】
【従来の技術および発明が解決しようとする課題】
梁構造の使用は、公知である。例えば、米国特許明細書第５，６７３，８４０号には、カートンの剛性を改良するためのコーナーポスト構造が開示されている。本発明は、収容すべき複数の物品を含有したカートンが例えば情報ディスクや原料といったような各物品を保護することが要望されるような場合に、特に有効である。
【０００３】
１つ以上の厚紙製ブランクから形成された再閉塞可能スリーブの一例は、米国特許明細書第３，０７８，０３０号に開示されている。この文献においては、カートンは、折曲可能とされた一体型頂壁であって再閉塞可能とされた頂壁が開示されている。この頂壁は、前面カバーパネルとこの前面カバーパネルの一辺に対して固定されたスペーサパネルとから構成され、ボックスの前面パネルの係合用上部に対して係合するものとされている。固定手段が、前面パネルの取外し可能二層部分として形成されている。しかしながら、取外し可能部分は、カバーフラップの内面に対して取り付けられる。そのため、前面が、段付きのものとなりフラットではない。
【０００４】
米国特許明細書第３，８９４，６８０号においては、例えば洗濯洗剤といったような粉末材料を収容するのに適したカートンボックスに、振り出し口が設けられている。この振り出し口は、切断形成後には、閉塞状態に維持されるように構成されている。固定手段が、前面パネルの取外し可能３層部分として形成されている。しかしながら、振り出し口を維持するためのポケットが設けられていない。
【０００５】
さらに、カートンのうちの、例えばコーナー部分といったような脆弱部分を支持することは、周知である。例えば、米国特許明細書第５，６７３，８４０号には、コーナーポスト構造が図示されている。しかしながら、自動化されたパッケージングにおいては、高速で、カートン内に複数の物品を収容することが必要とされる。したがって、コーナーポスト構造を形成するための複雑な構成とすることは、望ましくない。
【０００６】
【課題を解決するための手段】
本発明は、従来技術における上記問題点を克服することあるいは少なくとも軽減することを、追求するものである。
【０００７】
本発明の一見地においては、例えば複数の瓶といったような複数の物品を保持するためのカートンであって、カートンの側壁の延長物として形成された圧潰可能なチューブ状コーナーポストを具備し、このコーナーポストが、カートンの外側に延出されたフラットな圧潰状態から、内向きに折り曲げることによって、自動的に立体化した状態へと移行可能とされているようなカートンが提供される。
【０００８】
この構成の利点は、ブランクおよびコーナーポストが、フラットな圧潰状態でもってエンドユーザーに対して供給され得ることである。コーナーポストは、自動化パッケージング機械によって単純な折曲プロセスを行うことにより、自動的に配置することができる。有利には、コーナーポストに関しての厚紙量を低減することができるとともに、端部パネルを固定するための標準的設備を使用することができる。
【０００９】
好ましくは、コーナーポストは、剛直な構造として機能し得るよう、三角形横断面形状を有し、コーナーポストは、長さ方向に延在する折曲線を有しており、これにより、カートンの外側に延出されることのみによって折り畳まれたフラットな状態へと移行するものとされている。より詳細には、コーナーポストは、端部パネルと、ブレースパネルと、固定パネルと、を備えることができ、これら端部パネルとブレースパネルと固定パネルとは、この順に互いに折曲可能に接続され、固定パネルは、カートンの側壁に対して固定される。付加的には、長さ方向に延在する折曲線は、端部パネル内に形成することができる。
【００１０】
本発明のこの見地における付加的な特徴点においては、端部パネルは、カートンを閉塞するために、カートンの端部フラップを固定し得るように構成することができる。
【００１１】
本発明の第２見地においては、例えば複数の瓶といったような複数の物品を保持するためのカートンであって、カートンの第１壁から形成された再閉塞可能な引裂開放フラップと、カートンの第１壁に対して折曲可能に接続された壁端部補強部材と、を具備したカートンが提供される。補強部材が、引裂線の少なくとも一部に沿って第１壁の下方に位置し得るよう、補強部材は、カートンの第１壁の内表面に対して少なくとも部分的に固定される。
【００１２】
付加的には、補強部材は、引裂線上にわたって配置され、これにより、引裂線の破壊時には、フラップを再閉塞状態に保持するための係合部材がもたらされる。
【００１３】
本発明の第３見地においては、例えば複数の瓶といったような複数の物品を保持するためのカートンであって、カートンの第１壁から形成された第１パネルを有した再閉塞可能な引裂開放フラップと、カートンの第１壁の内表面に対して少なくとも部分的に固定された係合パネルと、を具備したカートンが提供される。係合パネルは、引裂線上にわたって配置され、これにより、引裂線の破壊時には、フラップを再閉塞状態に保持するための係合部材がもたらされる。
【００１４】
本発明のこの第３見地の付加的な特徴点においては、係合パネルは、カートンの第１壁パネルに隣接した１つのパネルに対して折曲可能に接続された補強部材によってもたらされる。好ましくは、補強部材は、カートンの第２壁を有したコーナー部分のところにおいて、カートンの第１壁の下方に位置し、これにより、コーナー部分を補強し得るものとされる。
【００１５】
本発明の第２見地または第３見地における他の付加的な特徴点においては、引裂開放フラップは、第１パネルに対して折曲可能に接続された第２パネルを有している。
【００１６】
好ましくは、引裂開放フラップは、プルタブを有している。
【００１７】
より好ましくは、カートンの第１壁には、この第１壁に対して折曲可能に接続された固定タブが設けられ、引裂開放フラップの一部は、あるいは場合によっては、プルタブは、カートンの第１壁と固定タブとの間に配置されるように構成され、固定タブと一緒に保持されるようになっている。
【００１８】
本発明の第４見地においては、例えば複数の瓶といったような複数の物品を保持するためのカートンを形成するためのブランクであって、カートンが、カートンの第１壁から形成された再閉塞可能な引裂開放フラップと、カートンの第１壁に対して折曲可能に接続された壁端部補強部材と、を具備し、補強部材が、引裂線の少なくとも一部に沿って第１壁の下方に位置し得るよう、補強部材が、カートンの第１壁の内表面に対して少なくとも部分的に固定されているようなブランクが提供される。
【００１９】
好ましくは、コーナーポストは、長さ方向に延在する折曲線を有することができ、これにより、カートンの外側に延出されることのみによって折り畳まれたフラットな状態へと移行することができる。より好ましくは、長さ方向に延在する折曲線は、端部パネル内に形成することができる。
【００２０】
本発明の第５見地においては、例えば複数の瓶といったような複数の物品を保持するためのカートンを形成するためのブランクであって、カートンの側壁の延長物として形成された圧潰可能なチューブ状コーナーポストを具備し、このコーナーポストは、端部パネルと、ブレースパネルと、固定パネルと、を備え、これら端部パネルとブレースパネルと固定パネルとは、この順に互いに折曲可能に接続され、固定パネルが、カートンの側壁に対して固定され得るように構成されているようなブランクが提供される。
【００２１】
付加的には、コーナーポストは、長さ方向に延在する折曲線を有しており、これにより、カートンの外側に延出されることのみによって折り畳まれたフラットな状態へと移行するものとされる。好ましくは、長さ方向に延在する折曲線は、端部パネル内に形成される。
【００２２】
本発明の第６見地においては、例えば複数の瓶といったような複数の物品を保持するためのカートンを形成するためのブランクであって、カートンが、カートンの第１壁から形成された第１パネルを有した再閉塞可能な引裂開放フラップと、カートンの第１壁の内表面に対して少なくとも部分的に固定された補強部材と、を具備し、カートンの組立状態においては、補強部材は、引裂線上にわたって配置され、これにより、引裂線の破壊時には、フラップを再閉塞状態に保持するための係合部材がもたらされるようなブランクが提供される。付加的には、引裂開放フラップは、プルタブを有している。
【００２３】
【発明の実施の形態】
以下においては、添付図面を参照しつつ、本発明を何ら限定するものではなく単なる例示としてのいくつかの実施形態に関して説明する。
【００２４】
添付図面においては、特に図１には、カートンを形成するためのブランクであって、厚紙や同様の折曲可能シート材料から形成された、ブランクの一実施形態が示されている。後述する実施形態においては、カートンは、『完全閉塞』タイプのカートンとされている。しかしながら、本発明を、『巻付』タイプのカートンや『バスケット』タイプのカートンやあるいはカートンのコーナー部分に支持構造を設けることが必要とされるような他のカートンに対して適用し得ることは、理解されるであろう。
【００２５】
ブランク（１０）は、閉塞タイプのカートンを形成するために、複数のパネルを備えている。図１に示す実施形態においては、ブランク（１０）は、第１側壁パネル（１２）と、頂壁パネル（１４）と、第２側壁パネル（１６）と、底壁パネル（１８）と、を備えており、これらパネルは、折曲線（２０，２２，２４）のそれぞれに沿って折曲可能であるようにして順次的に接続されている。
【００２６】
カートンの両端には、１つ以上の端部フラップまたは端部パネルが設けられている。この実施形態においては、端部パネル（３０，４２）が、折曲線（３２，４４）のそれぞれに沿って頂壁パネル（１４）の両端に対して折曲可能に接続されている。第２対をなす端部パネル（３４，３８）が、底壁パネル（１８）の両端エッジに沿って設けられていて、折曲線（３６，４０）のそれぞれに沿って底壁パネル（１８）の両端エッジに対して折曲可能に接続されている。
【００２７】
第１側壁パネル（１２）と底壁パネル（１８）とを互いに固定するために、固定手段が設けられている。この実施形態においては、固定手段は、折曲線（２８）に沿って第１側壁パネル（１２）に対して折曲可能に接続された固定フラップ（２６）によって、構成されている。
【００２８】
さらに、カートンの内部に対してのアクセスを可能とするためのアクセス構造を設けることができる。アクセス構造は、カートンをなす様々な壁パネルの中の１つの壁パネルから形成された再閉塞可能な引裂開放タイプのフラップ（５０）を備えている。この実施形態においては、このフラップ（５０）は、頂壁パネル（１４）から切り出された上面アクセスパネル（５３）を備えている。上面アクセスパネル（５３）は、切取線（５２，５４）のそれぞれに沿って頂壁パネル（１４）に対して切取可能に接続されている。上面アクセスパネル（５３）は、折曲線（２２）に沿って第２側壁パネル（１６）に対して折曲可能に接続されている。好ましくは、フラップ（５０）は、第１側壁パネル（１２）から切り出された側面アクセスパネル（５１）を、さらに備えている。側面アクセスパネル（５１）は、切取線（５５，５６）のそれぞれに沿って第１側壁パネル（１２）に対して切取可能に接続されている。図１から、切取線（５５，５６）が、プルタブ（５８）において収束していることがわかる。付加的には、さらに、折曲線（６１）に沿って第１側壁パネル（１２）に対して折曲可能に接続された固定タブ（６０）が設けられる。アクセス構造（５０）の開放操作については、詳細に後述する。
【００２９】
本発明の一見地においては、１つ以上の梁構造が、カートンの内部に形成されて、設けられる。梁構造は、カートンの頂壁パネルと底壁パネルとの間に配置され、カートンが鉛直方向圧縮力を受けた際のカートンの剛性を改良する。この実施形態においては、４つのコーナーポスト（７０ａ，７０ｂ，７０ｃ，７０ｄ）が設けられる。各コーナーポストは、互いに実質的に同一である。よって、第１梁構造（７０ａ）についてのみ、詳細に説明する。
【００３０】
図１に示す実施形態においては、コーナーポスト（７０ａ）は、固定パネル（７４ａ）と、ブレース（あるいは、筋交い）パネル（７６ａ）と、端部内方パネル（８０ａ）と、を備えており、これら各パネルは、折曲線（８２ａ，８４ａ）のそれぞれに沿って互いに順次的に折曲可能に接続されている。コーナーポスト（７０ａ）は、折曲線（７２ａ）に沿って第１側壁パネル（１２）に対して折曲可能に接続されている。あるクラスをなすいくつかの実施形態においては、折曲線（８２ａ）は、鉛直方向面内におけるパネルの撓みを助長し得るようわずかに湾曲した形状とされている。しかしながら、他のいくつかの実施形態においては、折曲線（８２ａ）は、直線状とされる、あるいは、折曲線（８２ａ）を省略することもできる。さらに、ブレースパネル（７６ａ）と端部内方パネル（８０ａ）との間には、折曲線（８４ａ，８６ａ）のそれぞれに沿って曲げパネル（７８ａ）を設けることができる。使用時には、折曲線（８６ａ）を使用することによって、コーナーポストが、フラットな圧潰状態とされる。
【００３１】
コーナーポストを形成するためのパネルは、図１に図示した形状に限定されるものではなく、実際、梁を頂壁パネルと底壁パネルとに対して隣接させ得るような他の手段によって代替することができる。例えば、ブレースパネル（７６）は、隣接した物品をより良好に受領して保持し得るよう、断面内において湾曲させることができる。
【００３２】
図１に示すカートンブランクからのカートンの組立に際しては、各ブランクに対して、一連の順次的な折曲操作と接着操作とを行う必要がある。これら操作は、好ましくは、直線ライン型機械において実行され、カートンおよびブランクを回転させたりひっくり返したりすることなく、カートンを完成させ得るものとされる。折曲プロセスは、後述のプロセスに限定されるものではなく、特定の製造要求に応じて、適宜変更することができる。
【００３３】
ブランク（１０）からのコーナー構造の組立に関し、図２および図３を参照して説明する。各コーナーポスト構造（７０ａ，７０ｂ，７０ｃ，７０ｄ）を形成するためのパネルを、折曲線（８６ａ，８６ｂ，８６ｃ，８６ｄ）に沿って向き（Ｗ１，Ｗ，Ｘ１，Ｘ）のように内向きに折り曲げることにより、第１または第２側壁パネル（１２または１６）のそれぞれ対応するものに対して固定する。この実施形態においては、固定パネル（７４）を、接着剤ストリップ（Ｇ）（図２）を使用することによって、それぞれに隣接する側壁パネルに対して接着する。
【００３４】
その後、第１側壁パネル（１２）と底壁パネル（１８）とを互いに固定する。これに際し、この実施形態においては、固定フラップ（２６）を、接着剤や当該技術分野において公知の他の手段により、底壁パネル（１８）に対して固定する。カートンは、フラットな圧潰状態となり、複数の物品の収容を行うエンドユーザーに対して供給されるための待受状態となる。
【００３５】
カートンを立体化するためには、頂壁パネル（１４）と第１側壁パネル（１２）と底壁パネル（１８）と第２側壁パネル（１６）とを、折曲線（２８，２０，２２，２４）のそれぞれに沿って折り曲げて変位させ、これにより、図４に示すようなチューブ状構造を形成する。
【００３６】
カートンは、組立の中間段階となり、一端からカートン（Ｃ）内へと複数の物品を挿入することができる。図４から、端部パネル（３０，３４）を、折曲線（３２，３６）のそれぞれに沿って外向きに折り曲げることが好ましく、これにより、複数の物品をカートン内に案内し得ることが、わかるであろう。好ましくは、複数の物品を収容するよりも先に、反対側の端部壁を、形成しておく。そのためには、後述するようにしてコーナーポスト構造（７０ｂ，７０ｄ）を形成し、端部壁パネル（３８，４２）を、折曲線（４０，４４）のそれぞれに沿って内向きに折り曲げて、接着剤や当該技術分野において公知の他の適切な手段によって、互いに固定する。
【００３７】
複数の物品をカートン内に収容した後に、コーナーポスト構造（７０ａ，７０ｃ）を形成する。
【００３８】
コーナーポスト構造（７０ａ）の形成に際しては、端部内方パネル（８０ａ）を、折曲線（７２ａ）に沿って向き（Ｙ）のように内向きに折り曲げる。この操作により、ブレースパネル（７６ａ）および中間パネル（７８ａ）は、固定パネル（７４ａ）に対して、折曲線（８２ａ，８４ａ，８６ａ）のそれぞれに沿って折り曲げられて変位することとなり、カートン内において、コーナーポストが自動的に設置される。この実施形態においては、コーナーポストは、図９において明瞭に示すように、実質的に三角形横断面形状を有している。あるクラスをなすいくつかの実施形態においては、中間パネル（７８ａ）の目的は、最外位置に位置した物品に対して例えばブレースパネル（７６ａ）が当接する場所において、ブレースパネル（７６ａ）の弾性度合いを向上させることである。しかしながら、この実施形態においては、中間パネルは、端部内方パネル（８０ａ）に対して同一直線状構成でもって配置されるように構成されている。
【００３９】
反対側のコーナーポスト構造（７０ｃ）および他のコーナーポスト構造（７０ｂ，７０ｄ）は、梁構造（７０ａ）と実質的に同じ態様で形成される。そのため、それらについての詳細な説明は省略する。これにより、カートンは、図４に図示した状態となる。
【００４０】
カートン（Ｃ）の組立を完了させるには、端部壁パネルどうしを互いに固定する。この目的のため、接着剤（Ｇ）を、端部壁パネル（３０，３４）の内面に対して適用し、その後、端部壁パネル（３０，３４）を、折曲線（３２，３６）のそれぞれに沿って内向きに折り曲げ、互いに当接させて、互いに固定する。好ましくは、端部壁パネル（３０，３４）を、各コーナーポスト構造（７０ａ，７０ｃ）の端部内方パネル（８０ａ，８０ｃ）に対して固定することにより、付加的な固定箇所を形成する。
【００４１】
代替可能な実施形態においては、例えばコーナー支持構造が使用されている場所といったような、ブランクの様々な領域に対して、接着剤を適用することができる。この時点で、カートンは、図６に示すように、組立完了状態となり、複数の物品が完全に収容されて使用者に対して供給される待受状態となる。
【００４２】
カートンの内部に対してのアクセスを行うに際しては、アクセス構造を開放することができる。これには、固定タブ（６０）を内向きに押し込むことにより、プルタブ（５８）を露出状態とする。その後、プルタブ（５８）を外向きに引っ張り、側面アクセスパネル（５１）を、切取線（５５，５６）に沿って第１側壁パネル（１２）から分離させる。そして、プルタブ（５８）を上向きにさらに継続して引っ張ることにより、上面アクセスパネル（５３）を、切取線（５２，５４）のそれぞれに沿って頂壁パネル（１４）から分離させる。その後、アクセス構造を、折曲線（２２）に沿って後方側に折り曲げることにより、図７に示すようにして、カートンの内容物が露出される。
【００４３】
アクセス構造を再閉塞するために、対向タブ（７５ａ，７５ｂ）が設けられている。対向タブ（７５ａ，７５ｂ）は、頂壁パネルまたは側壁パネルのいずれかの内面に対して固定されている。この実施形態においては、対向タブ（７５ａ，７５ｂ）は、固定パネル（７４ａ，７４ｂ）によって、形成されている。しかしながら、これら対向タブを、梁構造とは個別的なものとして付与することを想定することができ、実際、梁構造が設けられていないカートンに対しても、付与することができる。対向タブ（７５ａ，７５ｂ）は、図８に示すように側面アクセスパネル（５１）の外面が対向タブ（あるいは、インサート）（７５ａ，７５ｂ）の内面に対して当接するようにして側面アクセスパネル（５１）がカートン内に配置され得るように、構成される。側面アクセスパネル（５１）に対する係合のために、プルタブ（５８）は、あるいは場合によっては側面アクセスパネル（５１）の一部は、固定タブ（６０）および側壁パネル（１２）に対して配置され、これにより、挟み込み構成がもたらされ、プルタブ（５８）（あるいは側面アクセスパネル（５１））が、固定タブ（６０）および側壁パネル（１２）に対して固定され、図８に示すような、再閉塞可能なアクセス構造がもたらされる。
【００４４】
図１０〜図１２に示すような本発明の第２実施形態においては、ブランク（１１０）は、閉塞タイプのカートンを形成するために、複数のパネルを備えている。図１０に示す実施形態においては、ブランク（１１０）は、第１側壁パネル（１１２）と、頂壁パネル（１１４）と、第２側壁パネル（１１６）と、底壁パネル（１１８）と、を備えており、これらパネルは、折曲線（１２０，１２２，１２４）のそれぞれに沿って折曲可能であるようにして順次的に接続されている。
【００４５】
カートンの両端には、１つ以上の端部フラップまたは端部パネルが設けられている。この実施形態においては、端部パネル（１３０，１４２）が、折曲線（１３２，１４４）のそれぞれに沿って頂壁パネル（１１４）の両端に対して折曲可能に接続されている。第２対をなす端部パネル（１３４，１３８）が、底壁パネル（１１８）の両端エッジに沿って設けられていて、折曲線（１３６，１４０）のそれぞれに沿って底壁パネル（１１８）の両端エッジに対して折曲可能に接続されている。
【００４６】
第１側壁パネル（１１２）と底壁パネル（１１８）とを互いに固定するために、固定手段が設けられている。この実施形態においては、固定手段は、折曲線（１２８）に沿って第１側壁パネル（１１２）に対して折曲可能に接続された固定フラップ（１２６）によって、構成されている。
【００４７】
さらに、カートンの内部に対してのアクセスを可能とするためのアクセス構造が設けられている。アクセス構造は、第１実施形態の場合と同様のものであり、カートンをなす様々な壁パネルの中の１つの壁パネルから形成された再閉塞可能な引裂開放タイプのフラップ（１５０）を備えている。この実施形態においては、このフラップ（１５０）は、頂壁パネル（１１４）から切り出された上面アクセスパネル（１５３）を備えている。上面アクセスパネル（１５３）は、切取線（１５２，１５４）のそれぞれに沿って頂壁パネル（１１４）に対して切取可能に接続されている。上面アクセスパネル（１５３）は、折曲線（１３２）に沿って端部壁パネル（１３０）に対して折曲可能に接続されている。
【００４８】
好ましくは、フラップ（１５０）は、第１端部壁パネル（１４２）から切り出された側面アクセスパネル（１５１）を、さらに備えている。側面アクセスパネル（１５１）は、切取線（１５５，１５６）のそれぞれに沿って第１端部壁パネル（１４２）に対して切取可能に接続されている。図１０から、切取線（１５５，１５６）が、プルタブ（１５８）において収束していることがわかる。付加的には、さらに、折曲線（１６１）に沿って端部壁パネル（１４２）に対して折曲可能に接続された固定タブ（１６０）が設けられる。アクセス構造（１５０）の開放操作については、詳細に後述する。
【００４９】
さらに、１つ以上のコーナー支持構造が、カートンの内部に形成されて、設けられる。第１実施形態においては、支持構造は、カートンの頂壁パネルと底壁パネルとの間に配置され、例えばカートンのコーナー部といったような脆弱部分において、カートンの剛性を改良する。
【００５０】
この第２実施形態においては、４つのコーナー支持構造（１７０ａ，１７０ｂ，１７０ｃ，１７０ｄ）が設けられる。各コーナー支持構造は、互いに実質的に同一である。よって、第１コーナー支持構造（１７０ａ）についてのみ、詳細に説明する。図１０に示す実施形態においては、コーナー支持構造（１７０ａ）は、固定パネル（１７４ａ）と、内側支持パネル（１７６ａ）と、外側支持パネル（１８０ａ）と、を備えており、これら各パネルは、折曲線（１８４ａ，１８６ａ）のそれぞれに沿って互いに順次的に折曲可能に接続されている。コーナー支持構造（１７０ａ）は、折曲線（１７２ａ）に沿って第１側壁パネル（１１２）に対して折曲可能に接続されている。
【００５１】
コーナー支持構造を形成するためのパネルは、図１０に図示した形状に限定されるものではなく、コーナー支持構造を頂壁パネルと底壁パネルとに対して隣接させ得るような他の手段によって代替することができる。
【００５２】
図１０に示すカートンブランクからのカートンの組立に際しては、この場合にも、各ブランクに対して、一連の順次的な折曲操作と接着操作とを行う必要がある。これら操作は、好ましくは、直線ライン型機械において実行され、カートンおよび／またはブランクを回転させたりひっくり返したりすることなく、カートンを完成させ得るものとされる。折曲プロセスは、後述のプロセスに限定されるものではなく、特定の製造要求に応じて、適宜変更することができる。
【００５３】
各コーナー支持構造（１７０ａ，１７０ｂ，１７０ｃ，１７０ｄ）を形成するためのパネルを、まず最初に、折曲線（１８６ａ，１８６ｂ，１８６ｃ，１８６ｄ）に沿って内向きに折り曲げることにより、第１または第２側壁パネル（１１２または１１６）のそれぞれ対応するものに対して固定する。この実施形態においては、固定パネル（１７４）を、それぞれに隣接する側壁パネルに対して接着する。
【００５４】
その後、第１側壁パネル（１１２）と底壁パネル（１１８）とを互いに固定する。これには、この実施形態においては、固定フラップ（１２６）を、接着剤や当該技術分野において公知の他の手段により、底壁パネル（１１８）に対して固定する。これにより、カートンは、フラットな圧潰状態となり、複数の物品の収容を行うエンドユーザーに対して供給されるための待受状態となる。
【００５５】
カートンを立体化するためには、頂壁パネル（１１４）と第１側壁パネル（１１２）と底壁パネル（１１８）と第２側壁パネル（１１６）とを、折曲線（１２８，１２０，１２２，１２４）のそれぞれに沿って折り曲げて変位させ、これにより、チューブ状構造を形成する。
【００５６】
カートンは、組立の中間段階となり、一端からカートン（Ｃ’）内へと複数の物品を挿入することができる。端部パネル（１３８，１４２）を、折曲線（１４０，１４４）のそれぞれに沿って外向きに折り曲げることが好ましく、これにより、複数の物品をカートン（Ｃ’）内に案内することができる。より好ましくは、複数の物品を収容するよりも先に、反対側の端部壁を、形成しておく。そのためには、端部壁パネル（１３０，１３４）を、折曲線（１３２，１３６）のそれぞれに沿って内向きに折り曲げて、接着剤や当該技術分野において公知の他の適切な手段によって、互いに固定する。
【００５７】
カートン（Ｃ’）の組立を完了させるには、端部壁パネルどうしを互いに固定する。この目的のため、接着剤を、端部壁パネル（１３８，１４２）の内面に対して塗布し、その後、端部壁パネル（１３８，１４２）を、折曲線（１４０，１４４）のそれぞれに沿って内向きに折り曲げ、互いに当接させて、互いに固定する。好ましくは、端部壁パネル（１３０，１３４）を、各コーナー支持構造（１７０ａ，１７０ｃ）の外側支持パネル（１８０ａ，１８０ｃ）の一部に対して固定することにより、付加的な固定箇所を形成する。
【００５８】
他の実施形態においては、例えばコーナー支持構造が使用されている場所といったような、ブランクの様々な領域に対して、接着剤を塗布することができる。この時点で、カートンは、図１１および図１２に示すように、組立完了状態となり、複数の物品が完全に収容されて使用者に対して供給される待受状態となる。
【００５９】
図１２により、支持構造（１７０ａ，１７０ｂ，１７０ｃ，１７０ｄ）が、カートンの各コーナー部分に配置されていて、カートンの脆弱部分に対しての付加的な支持をもたらしていることがわかるであろう。
【００６０】
カートンの内部に対してのアクセスを行うに際しては、アクセス構造を開放することができる。これには、固定タブ（１６０）を内向きに押し込むことにより、プルタブ（１５８）を露出状態とする。その後、プルタブ（１５８）を外向きに引っ張り、側面アクセスパネル（１５１）を、切取線（１５５，１５６）に沿って第１側壁パネル（１１２）から分離させる。そして、プルタブ（１５８）を上向きにさらに継続して引っ張ることにより、上面アクセスパネル（１５３）を、切取線（１５２，１５４）のそれぞれに沿って頂壁パネル（１１４）から分離させる。その後、アクセス構造を、折曲線（１２２）に沿って後方側に折り曲げることにより、カートンの内容物が露出される。
【００６１】
アクセス構造を再閉塞するために、対向タブ（１７５ａ，１７５ｂ）が設けられている。対向タブ（１７５ａ，１７５ｂ）は、頂壁パネルまたは側壁パネルのいずれかの内面に対して固定されている。この実施形態においては、タブ（１７５ａ，１７５ｂ）は、固定パネル（１７４ａ，１７４ｂ）によって、形成されている。図１１から、コーナー構造（１７０ａ）が、端部閉塞フラップの再係合を補助するためのタブをもたらしていることがわかる。実際、コーナー支持構造を、そのようなタブをもたらし得るようにして側壁（１１２）に対して折曲可能に接続されたパネルによって代替することが想定される。これら対向タブを、コーナー構造とは個別的なものとして付与することを想定することができ、実際、コーナー構造が設けられていないカートンに対しても、付与することができる。
【００６２】
対向タブ（１７５ａ，１７５ｂ）は、図１１に示すように側面アクセスパネル（１５１）の外面が対向タブ（１７５ａ，１７５ｂ）の内面に対して当接するようにして側面アクセスパネル（１５１）がカートン内に配置され得るように、構成される。側面アクセスパネル（１５１）に対する係合のために、プルタブ（１５８）は、あるいは場合によっては側面アクセスパネル（１５１）の一部は、固定タブ（１６０）および側壁パネル（１１２）に対して配置され、これにより、挟み込み構成がもたらされ、プルタブ（１５８）（あるいは側面アクセスパネル（１５１））が、固定タブ（１６０）および側壁パネル（１１２）に対して固定され、再閉塞可能なアクセス構造がもたらされる。
【００６３】
本発明および本発明の好ましい実施形態は、完全閉塞型カートン内にコーナーポスト構造を設けるための構成、および、引裂開放タイプのフラップを設けるための構成、に関するものである。しかしながら、しかしながら、本発明が様々な携行器に対して適用可能であることが想定されており、本発明は、上記のような完全閉塞タイプに限定されるものではなく、携行器の剛性を改良することが要望されているような様々な応用に対して使用することができる。
【００６４】
ここで使用された場合、例えば『頂』や『底』や『端』や『側』や『内』や『外』といったような方向参照は、そのような向きの各パネルに限定されるものではなく、単にこれらパネルを互いに区別するためのものであることは、理解されるであろう。折曲可能な接続といったものは、必ずしも単一の折曲線のみを意味するものとして構成されるべきものではなく、実際、折曲可能な接続は、本発明の範囲を逸脱することなく、切込線や切取線や折曲線の中のいずれかとして形成することができる。
【００６５】
本発明の範囲を逸脱することなく様々な変更を行い得ることは理解されるであろう。例えば、パネルや孔のサイズや形状は、様々なサイズや形状の物品を収容し得るように調節することができる。また、代替的には、頂壁閉塞構造や底壁閉塞構造を使用することができる。いくつかの実施形態においては、単一の接着孔を設けることができる。カートンは、様々なアレイをなす２つ以上の物品を収容することができる。
【図面の簡単な説明】
【図１】本発明の第１実施形態による、カートンを形成するためのブランクを示す図である。
【図２】図１に示すブランクにおけるコーナー支持構造の構成を示す図である。
【図３】図１に示すブランクにおけるコーナー支持構造の構成を示す図である。
【図４】図１に示すブランクからの、カートンの組立を示す図である。
【図５】図１に示すブランクからの、カートンの組立を示す図である。
【図６】図１に示すブランクから立体状態へと形成されたカートンを示す図である。
【図７】再閉塞可能な引裂開放タイプのフラップが開放状態とされているカートンを示す図である。
【図８】再閉塞可能な引裂開放タイプのフラップが閉塞状態とされているカートンを示す図である。
【図９】図６におけるカートンに関しての、Ｂ１−Ｂ２線による矢視断面図である。
【図１０】本発明の第２実施形態による、カートンを形成するためのブランクを示す図である。
【図１１】図１０に示すブランクから立体状態へと形成されたカートンを示す図であって、再閉塞可能な引裂開放タイプのフラップが閉塞状態とされている。
【図１２】図１１におけるカートンに関しての、Ｂ３−Ｂ４線による矢視断面図である。
【符号の説明】
１０　　ブランク
１２　　第１側壁パネル（側壁）
１６　　頂壁パネル（側壁）
５０　　再閉塞可能な引裂開放タイプのフラップ（再閉塞可能な引裂開放フラップ）
５１　　側面アクセスパネル（第２パネル）
５２　　切取線（引裂線）
５３　　上面アクセスパネル（第１パネル）
５４　　切取線（引裂線）
５８　　プルタブ
６０　　固定タブ
７０ａ　コーナーポスト（圧潰可能なチューブ状コーナーポスト）
７０ｂ　コーナーポスト（圧潰可能なチューブ状コーナーポスト）
７０ｃ　コーナーポスト（圧潰可能なチューブ状コーナーポスト）
７０ｄ　コーナーポスト（圧潰可能なチューブ状コーナーポスト）
７４ａ　固定パネル
７５ａ　対向タブ（係合部材）
７５ｂ　対向タブ（係合部材）
７６ａ　ブレースパネル
８０ａ　端部内方パネル（端部パネル）
８２ａ　折曲線（長さ方向に延在する折曲線）
８４ａ　折曲線（長さ方向に延在する折曲線）
１１０　　ブランク
１１２　　第１側壁パネル（側壁）
１１６　　頂壁パネル（側壁）
１５０　　再閉塞可能な引裂開放タイプのフラップ（再閉塞可能な引裂開放フラップ）
１５１　　側面アクセスパネル（第２パネル）
１５２　　切取線（引裂線）
１５３　　上面アクセスパネル（第１パネル）
１５４　　切取線（引裂線）
１５８　　プルタブ
１６０　　固定タブ
１７０ａ　コーナー支持構造（圧潰可能なチューブ状コーナーポスト）
１７０ｂ　コーナー支持構造（圧潰可能なチューブ状コーナーポスト）
１７０ｃ　コーナー支持構造（圧潰可能なチューブ状コーナーポスト）
１７０ｄ　コーナー支持構造（圧潰可能なチューブ状コーナーポスト）
１７５ａ　対向タブ（係合部材）
１７５ｂ　対向タブ（係合部材）
Ｃ　　カートン
Ｃ’　カートン
【国際公開パンフレット】
2004509023.tif 000003
2004509023.tif 000004
2004509023.tif 000005
2004509023.tif 000006
2004509023.tif 000007
2004509023.tif 000008
2004509023.tif 000009
2004509023.tif 000010
2004509023.tif 000011
2004509023.tif 000012
2004509023.tif 000013
2004509023.tif 000014
2004509023.tif 000015
2004509023.tif 000016
2004509023.tif 000017
2004509023.tif 000018
2004509023.tif 000019
2004509023.tif 000020
2004509023.tif 000021
2004509023.tif 000022
2004509023.tif 000023
2004509023.tif 000024
2004509023.tif 000025
2004509023.tif 000026
2004509023.tif 000027
2004509023.tif 000028
2004509023.tif 000029
【国際公開パンフレット（コレクトバージョン）】
2004509023.tif 000030
2004509023.tif 000031
【手続補正書】
【提出日】平成14年10月9日(2002.10.9)
【手続補正１】
【補正対象書類名】明細書
【補正対象項目名】特許請求の範囲
【補正方法】変更
【補正の内容】
【特許請求の範囲】
【請求項１】
例えば複数の瓶といったような複数の物品を保持するためのカートンであって、
前記カートンの側壁から延出した一連の相互接続されたパネルから形成された圧潰可能なチューブ状コーナーポストを具備し、
このコーナーポストが、長さ方向に延在する補助的な折曲線が設けられていることのために、前記カートンの外側に延出されたフラットな圧潰状態から、内向きに折り曲げることによって、自動的に立体化した状態へと移行可能とされ、
前記コーナーポストが、使用時に剛直な構造を形成し得るよう、三角形横断面形状を有し、
前記一連の相互接続されたパネルの中の１つが、前記カートンの壁に対して固定されていることを特徴とするカートン。
【請求項２】
請求項１記載のカートンにおいて、
前記一連の相互接続されたパネルが、端部パネルと、ブレースパネルと、固定パネルと、を備え、
前記固定パネルが、前記カートンの前記壁に対して固定されていることを特徴とするカートン。
【請求項３】
請求項１または２記載のカートンにおいて、
前記カートンの前記壁に対して固定された前記固定パネルが、接着手段により固定されていることを特徴とするカートン。
【請求項４】
請求項１〜３のいずれか１項に記載のカートンにおいて、
前記長さ方向に延在する補助的な折曲線が、前記端部パネル内に形成されていることを特徴とするカートン。
【請求項５】
請求項１〜４のいずれか１項に記載のカートンにおいて、
前記端部パネルが、前記カートンを閉塞するために、前記カートンの端部フラップを固定し得るように構成されていることを特徴とするカートン。
【請求項６】
例えば複数の瓶といったような複数の物品を保持するためのカートンであって、
前記カートンの第１壁から形成された再閉塞可能な引裂開放フラップと、前記カートンの前記第１壁に対して折曲可能に接続された壁端部補強部材と、を具備し、
前記補強部材が、引裂線の少なくとも一部に沿って前記第１壁の下方に位置し得るよう、前記補強部材が、前記カートンの前記第１壁の内表面に対して少なくとも部分的に固定されていることを特徴とするカートン。
【請求項７】
請求項６記載のカートンにおいて、
前記補強部材が、前記引裂線上にわたって配置され、これにより、前記引裂線の破壊時には、前記フラップを再閉塞状態に保持するための係合部材がもたらされていることを特徴とするカートン。
【請求項８】
例えば複数の瓶といったような複数の物品を保持するためのカートンであって、
前記カートンの第１壁から形成された第１パネルを有した再閉塞可能な引裂開放フラップと、前記カートンの前記第１壁の内表面に対して少なくとも部分的に固定された係合パネルと、を具備し、
前記係合パネルが、前記引裂線を跨って配置され、これにより、前記引裂線の破壊時には、前記フラップを再閉塞状態に保持するための係合部材がもたらされ、
前記係合パネルが、前記カートンの第１壁パネルに隣接した１つのパネルに対して折曲可能に接続された補強部材によって形成されていることを特徴とするカートン。
【請求項９】
請求項８記載のカートンにおいて、
前記補強部材が、前記カートンの第２壁を有したコーナー部分のところにおいて、前記カートンの前記第１壁の下方に位置し、これにより、前記コーナー部分を補強し得るものとされていることを特徴とするカートン。
【請求項１０】
請求項８または９記載のカートンにおいて、
前記引裂開放フラップが、前記カートンの第３壁に対して折曲可能に接続された第２パネルを有していることを特徴とするカートン。
【請求項１１】
請求項６〜１０のいずれか１項に記載のカートンにおいて、
前記引裂開放フラップが、プルタブを有していることを特徴とするカートン。
【請求項１２】
請求項６〜１１のいずれか１項に記載のカートンにおいて、
前記カートンの前記第１壁には、この第１壁に対して折曲可能に接続された固定タブが設けられ、
前記引裂開放フラップの一部が、あるいは、前記プルタブが、前記カートンの前記第１壁と前記固定タブとの間に配置されるように構成され、前記固定タブと一緒に保持されるようになっていることを特徴とするカートン。
【請求項１３】
例えば複数の瓶といったような複数の物品を保持するためのカートンを形成するためのブランクであって、
前記カートンが、前記カートンの第１壁から形成された再閉塞可能な引裂開放フラップと、前記カートンの前記第１壁に対して折曲可能に接続された壁端部補強部材と、を具備し、
前記補強部材が、引裂線の少なくとも一部に沿って前記第１壁の下方に位置し得るよう、前記補強部材が、前記カートンの前記第１壁の内表面に対して少なくとも部分的に固定されていることを特徴とするブランク。
【請求項１４】
請求項１３記載のブランクにおいて、
前記カートンの組立状態においては、前記補強部材が、前記引裂線上にわたって配置され、これにより、前記引裂線の破壊時には、前記フラップを再閉塞状態に保持するための係合部材がもたらされていることを特徴とするブランク。
【請求項１５】
請求項１３または１４記載のブランクにおいて、
前記引裂開放フラップが、プルタブを有していることを特徴とするブランク。
【請求項１６】
請求項１３または１４記載のブランクにおいて、
前記カートンの前記第１壁には、この第１壁に対して折曲可能に接続された固定タブが設けられていることを特徴とするブランク。
【請求項１７】
ブランクであって、
請求項１〜１２のいずれか１項に記載されたカートンを形成するためのものであることを特徴とするブランク。
【請求項１８】
例えば複数の瓶といったような複数の物品を保持するためのカートンを形成するためのブランクであって、
前記カートンが、前記カートンの第１壁から形成された第１パネルを有した再閉塞可能な引裂開放フラップと、前記カートンの前記第１壁の内表面に対して少なくとも部分的に固定された係合部材と、を具備し、
前記カートンの組立状態においては、前記補強部材が、引裂線上にわたって配置され、これにより、前記引裂線の破壊時には、前記フラップを再閉塞状態に保持するための係合部材がもたらされていることを特徴とするブランク。
【請求項１９】
請求項１８記載のブランクにおいて、
前記引裂開放フラップが、プルタブを有していることを特徴とするブランク。
【請求項２０】
請求項１８または１９記載のブランクにおいて、
前記カートンの前記第１壁には、この第１壁に対して折曲可能に接続された固定タブが設けられていることを特徴とするブランク。
【請求項２１】
パッケージであって、
複数の物品と、
請求項１〜１２のいずれか１項に記載されたカートンと、
を具備することを特徴とするパッケージ。
【手続補正２】
【補正対象書類名】明細書
【補正対象項目名】０００７
【補正方法】変更
【補正の内容】
【０００７】
本発明の一見地においては、例えば複数の瓶といったような複数の物品を保持するためのカートンであって、カートンの側壁から延出した一連の相互接続されたパネルから形成された圧潰可能なチューブ状コーナーポストを具備し、このコーナーポストが、長さ方向に延在する補助的な折曲線が設けられていることのために、カートンの外側に延出されたフラットな圧潰状態から、内向きに折り曲げることによって、自動的に立体化した状態へと移行可能とされ、コーナーポストが、使用時に剛直な構造を形成し得るよう、三角形横断面形状を有し、一連の相互接続されたパネルの中の１つが、カートンの壁に対して固定されていることを特徴とするようなカートンが提供される。




【国際調査報告】
2004509023.tif 000032
2004509023.tif 000033
2004509023.tif 000034
2004509023.tif 000035
2004509023.tif 000036